(57)【要約】【解決手段】  管路分割具は、断面形状において放射状に延びる複数の隔壁５を有すると共に、その一部に拡張チューブ６を形成し、その断面形状が長さ方向に延びている。また管路の分割方法は、管路１内に、前記管路分割具２を挿通し、当該管路分割具２における前記拡張チューブ６を内圧により拡張させ、前記隔壁５の先端を管路１の内面８に圧接せしめる。【効果】  隔壁５が管路内面に圧接しない状態で管路１に挿通し、挿通した後に、拡張チューブ６を拡張させて隔壁５を管路内面８に圧接させることができるので、管路１に容易に挿通することができると共に、挿通した後は管路内面に対して確実に支持され、管路１を複数の区画に分割することができる。【選択図】          図１
2005160175.tif 000002
【特許請求の範囲】
【請求項１】
断面形状において、放射状に延びる複数の隔壁（５）を有すると共に、その隔壁（５）の一部に拡張チューブ（６）が形成され、その断面形状が長さ方向に延びていることを特徴とする、管路分割具
【請求項２】
前記管路分割具（２）の断面形状における中央付近に、長さ方向に延びるテンションメンバー（７）が埋入されていることを特徴とする、請求項１に記載の管路分割具
【請求項３】
前記拡張チューブ（６）が、前記隔壁（５）の端縁部に沿って形成されていることを特徴とする、請求項１又は２に記載の管路分割具
【請求項４】
前記拡張チューブ（６）が、管路分割具（２）の断面形状の略中央部に沿って形成されていることを特徴とする、請求項１又は２に記載の管路分割具
【請求項５】
管路（１）内に、請求項１、２、３又は４に記載の管路分割具（２）を挿通し、当該管路分割具（２）における前記拡張チューブ（６）を内圧により拡張させ、前記隔壁（５）の端縁を管路（１）の内面（８）に圧接せしめることを特徴とする、管路分割方法
【請求項６】
前記拡張チューブ（６）内に反応硬化型樹脂液を圧入して拡張させ、隔壁（５）の端縁を管路（１）の内面に圧接せしめた状態で、前記反応硬化型樹脂液を硬化させることを特徴とする、請求項５に記載の管路分割方法
【発明の詳細な説明】
【技術分野】
【０００１】
本発明は、地中に埋設された既設の管路、特に電力線や通信線などの敷設管路に対し、当該管路を長さ方向に延びる小さい複数の区画に分割するための、分割具及び分割方法に関するものである。
【背景技術】
【０００２】
従来この種の元の管路を複数に分割したものとしては、特開平２−８７９２３号公報に記載されたものが知られている。このものは、ケーブル管路内に放射状の隔壁を有するスペーサーを設け、その隔壁で区切られた部分に複数のケーブルを個別に挿通し得るようにしたものである。
【０００３】
しかしながらこのものは、隔壁を越えてケーブルが隣接する空間に移動しないようにするためには、スペーサーの隔壁の先端縁が管路の内面に圧接せしめられている必要があるが、この状態のままでスペーサーを管路内に引き込むと、スペーサーと管路内面との摩擦抵抗が大きくスムーズに引き込むことができないため、かかる分割された管路を形成することは極めて困難である。
【特許文献１】特開平２−８７９２３号公報
【発明の開示】
【発明が解決しようとする課題】
【０００４】
本発明はかかる事情に鑑みなされたものであって、管路に容易に挿通することができると共に、挿通した後は管路内面に対して確実に支持され、管路を複数の区画に分割できる管路分割具及び、当該管路分割具を使用した管路分割方法を提供することを目的とするものである。
【課題を解決するための手段】
【０００５】
而して本願の管路分割具の発明は、断面形状において、放射状に延びる複数の隔壁を有すると共に、その一部に拡張チューブが形成され、その断面形状が長さ方向に延びていることを特徴とするものである。
【０００６】
この管路分割具の発明においては、その管路分割具の断面形状における中央付近に、長さ方向に延びるテンションメンバーが埋入されていることが好ましい。また前記拡張チューブは、前記隔壁の端縁部に沿って形成されているものであってもよく、また管路分割具の断面形状の略中央部に沿って形成されていてもよい。
【０００７】
また本願の管路分割方法の発明は、管路内に、前記管路分割具を挿通し、当該管路分割具における前記拡張チューブを内圧により拡張させ、前記隔壁の端縁を管路の内面に圧接せしめることを特徴とするものである。
【０００８】
この分割方法の発明においては、前記拡張チューブ内に反応硬化型樹脂液を圧入して拡張させ、隔壁の端縁を管路の内面に圧接せしめた状態で、前記反応硬化型樹脂液を硬化させることが好ましい。
【発明の効果】
【０００９】
本発明によれば、隔壁が管路内面に圧接しない状態で管路に挿通し、挿通した後に、拡張チューブを拡張させて隔壁を管路内面に圧接させることができるので、管路に容易に挿通することができると共に、挿通した後は管路内面に対して確実に支持され、管路を複数の区画に分割することができる。
【発明を実施するための最良の形態】
【００１０】
以下、本発明の実施の形態を図面に従って説明する。図１は、管路１に本発明の管路分割具２を挿通した状態を示すものである。管路１はその管路本体３の内面に内張り材４が貼着されて内張りされている。
【００１１】
そしてその管路１内には、管路分割具２が挿通されている。その管路分割具２は、その断面形状において中心から放射状に延びる三枚の隔壁５を有し、当該隔壁５の端縁には扁平状態の拡張チューブ６が形成されており、その断面形状が長さ方向に連続して延びた線状の部材である。
【００１２】
この管路分割具２は、その中心から扁平状態の拡張チューブ６の外側の表面までの距離が管路１の半径よりも小さく、前記拡張チューブ６が断面略円形に拡張した状態で、管路１の内面８に圧接するものであることが好ましい。また管路分割具２の中心には、ロープ、ワイヤーなどのテンションメンバー７が埋入されている。
【００１３】
隔壁５は高密度ポリエチレンなどの比較的剛直な材料よりなることが好ましく、また拡張チューブ６は、低密度ポリエチレンなどの比較的柔軟で加熱によって形状を変化させやすい材料よりなることが好ましい。
【００１４】
而して本発明においては、拡張チューブ６が扁平状態においては、管路分割具２は管路１の内径より小さく、管路１内に引き込むときに管路１の内面８との間に大きな摩擦抵抗が生じることはなく、テンションメンバー７を牽引することにより、この管路分割具２を管路１内に容易に挿通することができる。
【００１５】
そして管路分割具２を管路１内に挿通した後、拡張チューブ６に蒸気や温水などにより内圧を作用させて拡張させると、図１において鎖線で示すように拡張チューブ６が管路１の内面８に圧接し、管路１内が確実に三つの区画に分割される。
【００１６】
そして加圧状態を維持したままで拡張チューブ６を冷却することにより、拡張チューブ６の断面形状は拡張された略円形に保たれ、管路１内を分割した管路分割具２の形状が維持される。従ってこの状態で各区画にそれぞれ個別にケーブルを挿通することができると共に、ケーブルが隔壁５を越えて隣の区画に侵入し、ケーブル同士が絡まるようなことがない。
【００１７】
図２は本発明の管路分割具２の他の形態を示すものであって、断面形状において管路分割具２の中央に拡張チューブ６が形成されており、当該拡張チューブ６から三枚の隔壁５が放射状に延びており、その断面形状が長さ方向に連続して延びている。そしてその隔壁５のうちの一枚の内端部に、ロープ、ワイヤーなどのテンションメンバー７が埋入されている。
【００１８】
而して管路分割具２を管路１に挿通する際には、拡張チューブ６を収縮させておくことにより、隔壁５の外端縁は管路１の内面８から離れていて、大きな摩擦抵抗なく挿通することができ、挿通した後に先と同様に拡張チューブ６を拡張させることにより、図２に鎖線で示すように隔壁５が外方に押し拡げられて外端縁が管路１の内面８に圧接し、管路１内を三つの区画に分割する。
【００１９】
以上の説明においては、隔壁５は三つ設けられており、管路１内を均等に三つの区画に分割するようになっているが、本発明はこれに限定されるものではない。隔壁５の数は三つに限らず、さらに多数設けられていてもよく、またこの隔壁５で分割される区画の大きさや形状は、異るものであっても差し支えない。
【００２０】
また図１のように隔壁５の外端に拡張チューブ６を形成する場合において、図１においては三つの隔壁５にそれぞれ拡張チューブ６が設けられているが、一部の隔壁５のみに拡張チューブ６を形成し、その拡張チューブ６の拡張により管路分割具２が管路１内で偏倚することによって、他の隔壁５を管路１の内面８に圧接せしめることもできる。また拡張チューブ６を隔壁５の中間に設けることも可能である。
【００２１】
また本発明においては、拡張チューブ６を拡張する際に、蒸気や温水などの流体で拡張させることも可能であるが、拡張チューブ６内にエポキシ樹脂などの反応硬化型樹脂液を注入して拡張させ、然る後その反応硬化型樹脂液を硬化させ、拡張チューブ６が拡張した状態で管路分割具２の形状を固定するのが好ましい。
【図面の簡単な説明】
【００２２】
【図１】本発明の管路分割具を管路に挿通した状態の横断面図
【図２】本発明の管路分割具の他の例を示す横断面図
【符号の説明】
【００２３】
１  管路
２  管路分割具
５  隔壁
６  拡張チューブ
７  テンションメンバー
８  管路の内面
【図１】
2005160175.tif 000003
【図２】
2005160175.tif 000004